(57)【要約】【課題】配電盤等の機器に設けられる配線ダクトにおいて、機器の改修や機能追加等により電線群のボリュームが増加した場合にでも、配線ダクトの収納容量を調節自在とすることができる構成を採用することにより、外観を損ねたり、あるいは、電線群に損傷や発熱を誘引して、火災や配線系の劣化乃至は故障を招来することのない配線ダクトを提供すること。【解決手段】細長い帯状のダクトベース２３と、このダクトベースの長手方向両側に相対向し、起立して設けられるガイドサポート２４と、上記相対向するガイドサポート２４に掛け渡されて設けられるダクトカバー２２とを備えた配線ダクトにおいて、上記ガイドサポート２４には、起立側に開口するスライド係合孔２６を備えたガイド部２５と、このガイド部２５のスライド係合孔２６に開口側から所定の寸法にスライド自在なスライドバー２７とを備える。【選択図】  図１
2005045906.tif 000002
【特許請求の範囲】
【請求項１】
細長い帯状のダクトベースと、このダクトベースの長手方向両側に相対向し、起立して設けられるガイドサポートと、上記相対向するガイドサポートに掛け渡されて設けられるダクトカバーとを備えた配線ダクトにおいて、
上記ガイドサポートは、上記ダクトベース側から起立して設けられるガイド部と、
このガイド部にスライド自在に嵌合されるスライドバーを備え、このスライドバーを上記ガイド部に対し適宜にスライドさせ、上記ダクトベースとダクトカバーとの内寸を調整自在にする高さ位置調整手段とを具備したことを特徴とする配線ダクト。
【請求項２】
上記ガイドサポートのガイド部には、スライド係合孔が設けられ、このスライド係合孔にスライドバーがスライド自在に嵌合され、上記ガイド部のスライド係合孔に係合するロック突起部をスライドバー設けて高さ位置調整手段を構成したことを特徴とする請求項１記載の配線ダクト。
【請求項３】
上記ガイド部に設けたスライド係合孔には、このスライド係合孔の長手方向に所定の間隔をとって複数個のロック穴を設けたことを特徴とする請求項２記載の配線ダクト。
【発明の詳細な説明】
【０００１】
【発明の属する技術分野】
この発明は、例えば配電盤や制御盤等の機器間または機器内に配線される電線群を収納する配線ダクトの改良に関する。
【０００２】
【従来の技術】
一般に、配電盤や制御盤等の機器間や機器内には、配線される電線群が散らばらないように、また外観上からも電線群を収納する配線ダクトを備えている。
【０００３】
この配線ダクトは、断面がコの字状を有する長尺のダクト本体に、開口側から電線群を収納して、その開口側をダクトカバーで覆うように構成したものである。
【０００４】
このような構成の配線ダクトが、特開２００２−３５９９１０号公報（特許文献１参照）に開示されている。
【０００５】
この特許文献１によれば、添付図面の図６に配線ダクト１が開示されている。
【０００６】
この配線ダクト１は、ダクト本体２と、このダクト本体２の開口端を覆う金属板製のダクトカバー３とにより構成されたものである。
【０００７】
ダクト本体１は、長手方向に延びる基部プレート４の両側に弾力性を有するガイドサポート５，５を相対向して立設されている。
【０００８】
ダクト本体２の横断面がコ字状を有し、このコ字状部に電線群（図示せず）が収納されるようになっている。
【０００９】
相対向するガイドサポート５には、それぞれ相対向してＵ字状の多数の切欠部６が先端を開放するように設けられる。
【００１０】
従って、各切欠部６，６の間には、相対向して複数の第１のガイド７，７が形成されている。
【００１１】
これらの第１のガイド７，７の自由端部には、直角に起立して形成した湾曲部９を介して弾力性を有するリブ１０が設けられている。
【００１２】
また、ダクト本体２の長手方向両端部には第１のガイド７，７よりも長い第２のガイド１１，１１が相対向して形成されている。
【００１３】
この第２のガイド１１の自由端部には、直角に起立して形成した起立片部１２が設けられている。
【００１４】
一方、ダクトカバー３は、平板の両側に、上記ガイドサポート５側に取り付けられるように折曲がり部１３、１３を形成している。
【００１５】
すなわち、このダクトカバー３の折曲がり部１３、１３は、上記ダクト本体２側の第１のガイド７のリブ１０と、第２のガイド１１の起立片部１２との間に挟み込むようにして装着している。
【００１６】
このように、ダクト本体２の断面コ字状部、すなわち両ガイドサポート５，５間に、図示しない電源ケーブル等の電線群の配線を行なうと共に、上記両ガイドサポート５，５側へダクトカバー３を装着するように構成したことにより、電源ケーブル等の電線群の配線を安定して行なうことができるようにしている。
【００１７】
【特許文献１】
特開２００２−３５９９１０号公報（図１〜図５）
【００１８】
【発明が解決しようとする課題】
従来の配線ダクト１によれば、ダクト本体２のガイドサート体５，５の第１のガイド部７，７側へ、ダクトカバー３の折曲がり部１３，１３を挟み込むようにして装着することができるようにしたので、配線ダクト１に電源ケーブル等の電線群を安定に収納することができる一方、その作業性が良好なものである。
【００１９】
しかしながら、例えば配電盤等の機器の改修や機能追加等により配線する電線群は、その配線数の増加により電線群の収納容量（断面積）が所定量以上に増加した場合には、無理に収納して配線ダクト１を変形させて外観を損ねたり、あるいは、電線群に損傷や発熱を誘引して、火災や配線系の劣化乃至は故障を招来する虞があつた。
【００２０】
本発明は、上記の事情に鑑みてなされたもので、配電盤等の機器の改修や機能追加等により電線群のボリュームが増加した場合にでも、配線ダクトの収納容量を調節自在とすることができる構成を採用することにより、外観を損ねたり、あるいは、電線群に損傷や発熱を誘引して、火災や配線系の劣化乃至は故障を招来することのない配線ダクトを提供することを目的とする。
【００２１】
【課題を解決するための手段】
前記目的を達成するために、請求項１記載の発明によれば、細長い帯状のダクトベースと、このダクトベースの長手方向両側に相対向し、起立して設けられるガイドサポートと、上記相対向するガイドサポートに掛け渡されて設けられるダクトカバーとを備えた配線ダクトにおいて、上記ガイドサポートは、上記ダクトベース側から起立して設けられるガイド部と、このガイド部にスライド自在に嵌合されるスライドバーを備え、このスライドバーを上記ガイド部に対し適宜にスライドさせ、上記ダクトベースとダクトカバーとの内寸を調整自在にする高さ位置調整手段とを具備したことを特徴とする配線ダクトを提供する。
【００２２】
前記目的を達成するために、請求項２記載の発明によれば、上記ガイドサポートのガイド部には、スライド係合孔が設けられ、このスライド係合孔にスライドバーがスライド自在に嵌合され、上記ガイド部のスライド係合孔に係合するロック突起部をスライドバー設けて高さ位置調整手段を構成したことを特徴とする請求項１記載の配線ダクトを提供する。
【００２３】
前記目的を達成するために、請求項３記載の発明によれば、上記ガイド部に設けたスライド係合孔には、このスライド係合孔の長手方向に所定の間隔をとって複数個のロック穴を設けたことを特徴とする請求項２記載の配線ダクトを提供する。
【００２４】
【発明の実施の形態】
本発明の配線ダクトの実施形態について、添付図面を参照して説明する。
【００２５】
図１は、本発明に係る配線ダクト２０の実施形態を示すものである。
【００２６】
配線ダクト２０は、図１に示すように、例えば塩化ビニール製の所定の柔軟性および耐熱性を有する絶縁材料により形成される。
【００２７】
この配線ダクト２０は、長尺のダクト本体２１と、このダクト本体２１と、このダクト本体２１の開口側を覆うように設けられるダクトカバー２２とにより構成される。
【００２８】
ダクト本体２１と、ダクトカバー２２とにより形成される空間に、点線図示のように複数の電線ｘ１，ｘ２〜ｘｎからなる電線群ｘが収納されるようになっている。
【００２９】
ダクト本体２１は、配電盤や制御盤等の機器間または機器内に配線される電線群ｘを支持するために、図２に示すように細長い矩形のダクトベース２３と、このダクトベース２３の長手方向両側に相対向してほぼ直角に起立して設けられる複数対のガイドサポート２４とから構成される。
【００３０】
ダクトベース２３は、配電盤や制御盤等の機器間または機器内に配線される電線群を支持するために、配電盤や制御盤等の機器壁面や機器を設置する室内壁面に支持固定し得る、例えば数ｍｍ程度の板厚を有している。
【００３１】
また、ダクトベース２３は、配電盤や制御１盤等の機器間または機器内での配設位置や最短配線距離や、放熱性や外観性を考慮して通常細長い直線状のものが用いられるが、場合によっては機器の設置位置等の関係から、半円等の湾曲形状やＬ字状のものを複数本組み合わせて用いられる。
【００３２】
ガイドサポート２４は、図１に示すように細長い帯状のダクトベース２３上に支持される電線群ｘを両側から保持するように複数本が整列配置される。
【００３３】
このガイドサポート２４には、ダクトベース２３の両側から相対向して起立する偏平ボックス状のガイド部２５と、このガイド部２５のスライド係合孔２６に先端の開口側から所定の寸法にスライド自在に嵌合されるスライドバー２７とを備え、ガイド部２５側に対して、スライドバー２７の高さ位置調整が可能なように高さ位置調整機能を有している。
【００３４】
すなわち、ガイドサポート２４は、図１に示すように、ガイド部２５とスライドバー２７とにより、ダクトベース２３の底面間の内寸法ｌから、図４に示す内寸法Ｌへ選択的に長くすることができるように高さ位置が調整可能な高さ位置調整手段を構成している。
【００３５】
スライドバー２７の先端には、外側に湾曲するフック状係止片２７３を備えている。
【００３６】
ガイド部２５は、図３に示すように、先端側に開口するスライド係合孔２６を備え、図１および図２に示すように、そのスライド係合孔２６の短尺側側面の上位および下位の位置に、相対向して上位ロック穴２６１および下位ロック穴２６２をそれぞれ設けている。
【００３７】
このスライド係合孔２６は、図１に示すように、スライドバー２７を人手により点線矢印ｂ方向へ引き出し可能に設けられ、配線ダクト２０内に収納される電線群Ｘをしっかりと固定できるように所定の弾力性と強靭性を有している。
【００３８】
スライドバー２７は、ガイド部２５のスライド係合孔２６に開口側から所定寸法の範囲で適宜にスライドさせ、上記ダクトベース２３とダクトカバー２２との内寸を調整自在に設けたものである。
【００３９】
スライドバー２７は、図３に示すように、スライド係合孔２６に嵌り込む下端部の両側には、ロック突起部２７１が、また中央部にはスリット部２７２がそれぞれ設けられる。
【００４０】
このロック突起部２７１は、ガイド部２５のスライド係合孔２６に設けられる上位ロック穴２６１に嵌着させるためのもので、鉤形または爪状のものであってもよい。
【００４１】
また、スライド係合孔２６から外側に延出した上端側にはフック状係止片２７３が設けられる。
【００４２】
ロック突起部２７１は、スライドバー２７がガイド部２５のスライド係合孔２６の所望位置に嵌り込んだ際、スライド係合孔２６の上位ロック穴２６１に嵌り込み、スライドバー２７をガイド部２５側へしっかり固定するためのものである。
【００４３】
スリット部２７２は、スライドバー２７をガイド部２５のスライド係合孔２６へ嵌合させる際に、図３の矢印ａに示すように、スライドバー２７の下端部の両側からスリット部２７２の方向へ変形可能に設けられるものである。
【００４４】
スリット部２７２は、スライドバー２７がガイド部２５のスライド係合孔２６へ嵌合させた際に、変形状態から元の形状に戻ると同時に、スライドバー２７のロック突起部２７１がガイド部２５のスライド係合孔２６の上位ロック穴２６１に嵌着されるようになっている。
【００４５】
フック状係止片２７３は、スライドバー２７がスライド係合孔２６に嵌り込んだ状態で、ダクト本体２１のダクトベース２３の長手方向両側から外側方向へ突出するように取付けられる。
【００４６】
一方、ダクトカバー２２は、ダクト本体２１へ電線群ｘが仮保持された状態で、この電線群ｘを覆い隠すように取付けられる長尺の平板状のものである。
【００４７】
ダクトカバー２２は、具体的には、複数のスライドバー２７のフック状係止片２７３に係合して保持させるべく、図１に示すようにＶ字形折曲部２２１が設けられる。
【００４８】
このダクトカバー２２のＶ字形折曲部２２１は、ガイド部２５のスライド係合孔２６へ嵌合させたスライドバー２７のフック状係止片２７３へ上方から押圧して係合せしめるためのものである。
【００４９】
ここで、配線ダクト２０内に収納される電線群ｘのボリュームが、所定量以下である場合には、ガイドサポート２４のスライド係合孔２６に対するスライドバー２７の高さが低い位置に選定される。
【００５０】
また、配線ダクト２０内に収納される電線群ｘのボリュームが、所定量より多い場合には、ガイドサポート２４のスライド係合孔２６に対するスライドバー２７の高さが高い位置に選定される。
【００５１】
次に、配線ダクト２０の使用手順について、図１〜図５を参照して説明する。
【００５２】
配線ダクト２０を設置する建屋内の場所、壁面を選定し、ダクト本体２１のダクトベース２３を上記壁面に固定する。
【００５３】
すなわち、図示しない配電盤や制御盤等の機器間または機器内における所望の壁面へ位置決めし、ダクトベース２３を上記壁面にネジ止め等の固定手段で固定する＜ステップ１＞。
【００５４】
スライドバー２７のロック突起部２７１を図１および図２に示すように、ガイド部２５側に対して相対向する関係、すなわちスライドバー２７のフック状係止片２７３を外向きにしてスライド係合孔２６に係合させる＜ステップ２＞。
【００５５】
電線群ｘを、ダクト本体２１の長手方向に沿わせながら、ダクトベース２３の両側に位置するガイドサポート２４間に整線しながら収納する＜ステップ３＞。
【００５６】
このようにして収納された電線群ｘのボリュームが、所定量以下である場合、すなわち、電線群ｘをダクト本体２１に収納したとき、ダクト本体２１のガイド部２５の高さ寸法ｌ（図１参照）と同程度以下である場合には、この状態にてダクトカバー２２により電線群ｘを覆うように被せる。
【００５７】
ここで、配線ダクト２０内に収納される電線群ｘのボリュームが、所定量より多い場合には、ガイドサポート２４のスライド係合孔２６に対するスライドバー２７の高さを所望の高さ寸法Ｌ（図４参照）にする。
【００５８】
すなわち、矢印ｂに示す方向へ引き出して、図５に示す高さ位置で止めるようにする。
【００５９】
スライドバー２７のロック突起部２７１を、ダクト本体２１のガイド部２５のスライド係合孔２６に設けた上位ロック穴２６１側へ嵌入させる＜ステップ４＞。
【００６０】
この後、ダクトカバー２２を電線群ｘを覆うように被せる。
【００６１】
このダクトカバー２２を被せるにあたっては、ダクトベース２３の両側に起立する複数のガイドサポート２４のスライドバー２７のフック状係止片２７３側へ、ダクトカバー２２の両側に起立するＶ字形折曲部２２１を一方側から他方側へ順次押圧しながら係合するまで挿入する＜ステップ５＞。
【００６２】
このように、配線ダクト２０を使用するにあたっては、上記＜ステップ１＞〜＜ステップ５＞を経ることにより行なうことができる。
【００６３】
従って、配線ダクト２０によれば、ダクト本体２１を所望の壁面に設置した後、電線群ｘのボリュームが所定量以下あるいは以上である場合に、ダクト本体２１側においてスライドバー２７をガイド部２５のスライド係合孔２６における位置関係をそのままの状態にするか、またはスライド係合孔２６側から引き出して高さ寸法を調整して対応することができるようにしたから、電線群ｘのボリュームの大小に関わらず一つの配線ダクト２０で幅広く対応可能である一方、人手による作業を極めて容易にすることができる。
【００６４】
本発明による配線ダクト２０によれば、ガイド部２５側に上位ロック穴２６１および下位ロック穴２６２を、また、スライドバー２７側にロック突起部２７１を設けたが、ガイド部２５側にライドバーロック突起部を、また、スライドバー２７側に上位ロック穴２６１および下位ロック穴２６２を設けるようにしてもよい。
【００６５】
また、ガイドサポート２４のガイド部２５側にスライド係合孔２６を設け、
このスライド係合孔２６側にスライドバー２７に設けたロック突起部２７１を嵌合させる構成としたが、逆にスライドバー２７側にスライド係合孔２６とこのスライド係合孔２６内にロック穴を設ける一方、ガイド部２５側に上記スライド係合孔２６のロック穴に嵌合するロック突起部を設けた構成にしてもよい。
【００６６】
更に、配線ダクト２０によれば、ダクトベース２３に設けられたガイドサポート２４は、ダクトベース２３の長手方向両側に起立する個々のガイドサポート２４毎に相互に正面を向くように配置したが、ジグザグ状に対面配置させてもよい。
【００６７】
更にまた、ガイドサポート２４のガイド部２５は、ダクトベース２３の長手方向に沿って、断続的に配置させたが、ダクトベース２３の長手方向に連続した構成のものでもよい。
【００６８】
その場合、スライド係合孔２６については、断続的に配置させればよい。
【００６９】
更に、このガイド部２５は、製造過程で一体成形してもよく、または別体のものを一体構成化してもよい。
【００７０】
また、スライドバー２７についても、それぞれ別個のものを複数用いたが、鎖状に連結させた一体成形されたものであってもよい。
【００７１】
すなわち、複数のスライドバー２７のフック状係止片２７３同士を、例えば連続的に繋いだ構成であってもよい。
【００７２】
更に、ガイド部２５のスライド係合孔２６に設けた上位ロック穴２６１は、３ヶ以上設けて細かく調整し得るようにすることもできる。
【００７３】
更にまた、配線ダクト２０を使用するにあたって、スライドバー２７の全てを使用する必要はなく、例えば一つ置きに延出して使用するようにしてもよい。
【００７４】
【発明の効果】
本発明によれば、配電盤等の機器の改修や機能追加等により電線群が増加した場合にでも、配線ダクトの収納容量を調節自在とすることができる構成を採用することにより、外観を損ねたり、あるいは、電線群に損傷や発熱を誘引して、火災や配線系の劣化乃至は故障を招来することのない配線ダクトを提供することができる。
【図面の簡単な説明】
【図１】本発明の配線ダクトの実施形態を示す正面図。
【図２】図１の配線ダクトにおけるダクト本体の一部を示す斜視図。
【図３】図２のダクト本体を構成するガイド部とスライドバーとを分離して示す斜視図。
【図４】図１に示す配線ダクトのスライドバーを延出した状態を示す正面図。
【図５】図４の配線ダクトにおけるダクト本体の一部を示す斜視図。
【図６】従来の配線ダクトの斜視図。
【符号の説明】
２０  配線ダクト
２１  ダクト本体
２２  ダクトカバー
２２１  Ｖ字形折曲部
２３  ダクトベース
２４  ガイドサポート（高さ位置調整手段）
２５  ガイド部
２６  スライド係合孔
２６１  上位ロック穴
２６２  下位ロック穴
２７  スライドバー
２７１  ロック突起部
２７２  スリット部
２７３  フック状系止片
ｘ  電線群（電線Ｘ１〜Ｘｎ）
【図１】
2005045906.tif 000003
【図２】
2005045906.tif 000004
【図３】
2005045906.tif 000005
【図４】
2005045906.tif 000006
【図５】
2005045906.tif 000007
【図６】
2005045906.tif 000008